(57)【特許請求の範囲】
【請求項１】
複数の画像入力方式が使用可能で且つ電子メールが送信可能な画像通信装置であって、
電子メール送信を指示する送信指示手段と、電子メール送信が指示された場合に前記複数の画像入力方式を表示する画像入力方式表示手段と、前記画像入力方式表示手段による表示に基づき前記複数の画像入力方式から送信対象画像の画像入力方式を選択する入力方式選択手段と、選択された画像入力方式による画像データを電子メール形式に変換する変換手段と、変換された画像データを電子メールに添付し通信媒体を介して送信する送信手段と、前記送信指示手段により電子メール送信の指示がなされていない状態で前記複数の画像入力方式の一つが選択された場合、当該選択された画像入力方式による画像データの処理を指定するためのメニューであって前記電子メール送信を含む複数の処理メニューを表示する処理メニュー表示手段と、選択された前記複数の画像入力方式の一つによる画像データを、前記処理メニュー表示手段による表示に基づき選択された処理メニューに従って処理するよう制御する制御手段とを有することを特徴とする画像通信装置。
【請求項２】
前記画像入力方式は、画像通信装置本体に着脱自在なハンドスキャナ単体により画像入力する画像入力方式を含むことを特徴とする請求項１記載の画像通信装置。
【請求項３】
前記画像入力方式は、画像通信装置本体に着脱自在なハンドスキャナを画像通信装置本体に装着した状態で画像入力する画像入力方式を含むことを特徴とする請求項１記載の画像通信装置。
【請求項４】
前記画像入力方式は、外部メモリカードに格納された画像データを入力する画像入力方式を含むことを特徴とする請求項１記載の画像通信装置。
【請求項５】
前記入力方式選択手段で選択された前記画像入力方式に応じて、前記電子メール形式への変換方法を選択する変換方法選択手段を有することを特徴とする請求項１乃至４の何れかに記載の画像通信装置。
【請求項６】
前記入力方式選択手段で画像通信装置本体に着脱自在なハンドスキャナ単体により画像入力する画像入力方式が選択された場合、前記ハンドスキャナ単体で入力した画像データを画像通信装置本体へ取り込む画像取込手段と、取り込んだ画像データに応じてヘッダ情報を生成するヘッダ情報生成手段とを有することを特徴とする請求項１又は２記載の画像通信装置。
【請求項７】
前記入力方式選択手段で画像通信装置本体に着脱自在なハンドスキャナを画像通信装置本体に装着した状態で画像入力する画像入力方式が選択された場合、前記ハンドスキャナを画像通信装置本体に装着した状態で入力した画像データに応じてヘッダ情報を生成するヘッダ情報生成手段を有することを特徴とする請求項１又は３記載の画像通信装置。
【請求項８】
前記入力方式選択手段で外部メモリカードに格納された画像データを入力する画像入力方式が選択された場合、前記外部メモリカード内の画像データを選択する画像選択手段と、選択された画像データを読み込む画像読込手段と、読み込んだ画像データから電子メールデータを生成するメールデータ生成手段とを有することを特徴とする請求項１又は４記載の画像通信装置。
【請求項９】
前記外部メモリカードから読み込んだ画像データに応じてヘッダ情報を生成するヘッダ情報生成手段を有することを特徴とする請求項８記載の画像通信装置。
【請求項１０】
前記ハンドスキャナが画像通信装置本体に装着された際に、前記ハンドスキャナ内に画像データが格納されているか否かを確認する確認手段と、前記ハンドスキャナ内に画像データが格納されている場合、前記表示手段に電子メール送信するか否かを選択可能な表示を行う表示制御手段とを有することを特徴とする請求項１〜３、６〜７の何れかに記載の画像通信装置。
【請求項１１】
複数の画像入力方式が使用可能で且つ電子メールが送信可能な画像通信装置に適用される画像通信方法であって、
電子メール送信を指示する送信指示工程と、電子メール送信が指示された場合に前記複数の画像入力方式を表示する画像入力方式表示工程と、前記画像入力方式表示工程における表示に基づき前記複数の画像入力方式から送信対象画像の画像入力方式を選択する入力方式選択工程と、選択された画像入力方式による画像データを電子メール形式に変換する変換工程と、変換された画像データを電子メールに添付し通信媒体を介して送信する送信工程と、前記送信指示工程で電子メール送信の指示がなされていない状態で前記複数の画像入力方式の一つが選択された場合、当該選択された画像入力方式による画像データの処理を指定するためのメニューであって前記電子メール送信を含む複数の処理メニューを表示する処理メニュー表示工程と、選択された前記複数の画像入力方式の一つによる画像データを、前記処理メニュー表示工程における表示に基づき選択された処理メニューに従って処理するよう制御する制御工程とを有することを特徴とする画像通信方法。
【請求項１２】
複数の画像入力方式が使用可能で且つ電子メールが送信可能な画像通信装置に適用される画像通信方法を実行するプログラムを記憶したコンピュータにより読み出し可能な記憶媒体であって、
前記画像通信方法は、電子メール送信を指示する送信指示ステップと、電子メール送信が指示された場合に前記複数の画像入力方式を表示する画像入力方式表示ステップと、前記画像入力方式表示ステップにおける表示に基づき前記複数の画像入力方式から送信対象画像の画像入力方式を選択する入力方式選択ステップと、選択された画像入力方式による画像データを電子メール形式に変換する変換ステップと、変換された画像データを電子メールに添付し通信媒体を介して送信する送信ステップと、前記送信指示ステップで電子メール送信の指示がなされていない状態で前記複数の画像入力方式の画像入力方式の一つが選択された場合、当該選択された画像入力方式による画像データの処理を指定するためのメニューであって前記電子メール送信を含む複数の処理メニューを表示する処理メニュー表示ステップと、選択された前記複数の画像入力方式の一つによる画像データを、前記処理メニュー表示ステップにおける表示に基づき選択された処理メニューに従って処理するよう制御する制御ステップとを有することを特徴とする記憶媒体。
【発明の詳細な説明】
【０００１】
【発明の属する技術分野】
本発明は、画像通信装置、画像通信方法及び記憶媒体に関し、特に、読み取った画像データを電子メールに添付して送信する電子メール通信機能を有する画像通信装置、画像通信方法及び記憶媒体に関する。
【０００２】
【従来の技術】
近年、ファクシミリ装置において、読み取った画像データを電子メール添付形式でインターネットに送信する方法が提案されてきている。例えば、特開平９−３２５９２４号公報においては、ファクシミリ装置で読み取ったイメージデータをＴＩＦＦ（Tag Image File Format：高密度のビットマップ画像ファイル互換用フォーマット）形式にして電子メールとして送信する提案がなされている。
【０００３】
従来のファクシミリ装置を使った電子メール送信の方法を以下に説明する。先ず、利用者は送信する原稿をファクシミリ装置の送信台にセットし、利用者自身が登録されたユーザ名を選択するためのパスワードを入力する。次に、送信する相手先を相手先テーブルから選択し、短縮番号に続いてスタートキーを押すか、ワンタッチキーを押す。
【０００４】
ファクシミリ装置は、送信台の原稿を１枚づつ読み取り、一旦、全頁を符号化復号化部においてＭＭＲ（Modified Modified Read：画像データ圧縮符号化）方式で符号化し、Ｇ３形式のイメージデータとして、イメージメモリに蓄積する。次に、短縮番号もしくはワンタッチダイヤルで指定された相手先を、相手先テーブルから読み出す。相手先テーブルのインターネットe-mailアドレスが登録されていなければ、Ｇ３またはＧ４のファクシミリ送信を行う。インターネットe-mailアドレスが登録されていれば、電子メールと送信するための処理を行う。
【０００５】
電子メールとしてイメージデータを送信するにあたっては、Ｇ３形式のイメージデータをＴＩＦＦ変換して送信する。ＴＩＦＦ変換処理においては、Ｇ３形式のイメージデータの先頭にＴＩＦＦ  Ｃｌａｓｓ  Ｆのヘッダ情報を付加し、ＴＩＦＦイメージデータを作成する。ＴＩＦＦイメージデータはバイナリデータであるので、これを更にテキストデータに変換する。
【０００６】
更に、メール編集部は、テキストデータに変換されたＴＩＦＦイメージデータに電子メールのヘッダを付加する。電子メール形式のデータが完成すると、インターネットへダイヤルアップ接続する。プロバイダとの電話回線が設定されると、ＰＡＰ手順に従ってログインし、ＳＭＴＰ（Simple Mail Transfer Protocol：簡易メール転送プロトコル）により電子メールを送信する。送信完了後、ログオフし、電話回線を開放する。
【０００７】
【発明が解決しようとする課題】
上記従来例のファクシミリ装置においては、画像原稿を読み取り画像入力を行う方法としては、原稿台にセットした原稿を読み取り画像入力を行うことのみを考慮しており、近年多用されているハンドスキャナなど複数の画像入力方式による入力については考慮されていなかった。
【０００８】
しかしながら、画像入力手段としては、カラーハンドスキャナによる読み取り、ハンドスキャナを本体に装着した状態での読み取り、デジタルカメラなどで撮影されたカラー画像の読み取りなど、数多くの手段が考えられる。従って、電子メール送信にあたっては、どの画像読み取り手段により読み取った画像を送信するのかを選択できるようにしなければ、これらの多様な画像種別に対応できないという問題があった。
【０００９】
本発明は、上述した点に鑑みなされたものであり、多様な画像入力方式によって入力される画像データの選択及び入力された画像データの処理方法の選択を適切に行えるようにした画像通信装置、画像通信方法及び記憶媒体を提供することを目的とする。
【００１０】
【課題を解決するための手段】
上記目的を達成するため、請求項１記載の発明は、複数の画像入力方式が使用可能で且つ電子メールが送信可能な画像通信装置であって、電子メール送信を指示する送信指示手段と、電子メール送信が指示された場合に前記複数の画像入力方式を表示する画像入力方式表示手段と、前記画像入力方式表示手段による表示に基づき前記複数の画像入力方式から送信対象画像の画像入力方式を選択する入力方式選択手段と、選択された画像入力方式による画像データを電子メール形式に変換する変換手段と、変換された画像データを電子メールに添付し通信媒体を介して送信する送信手段と、前記送信指示手段により電子メール送信の指示がなされていない状態で前記複数の画像入力方式の一つが選択された場合、当該選択された画像入力方式による画像データの処理を指定するためのメニューであって前記電子メール送信を含む複数の処理メニューを表示する処理メニュー表示手段と、選択された前記複数の画像入力方式の一つによる画像データを、前記処理メニュー表示手段による表示に基づき選択された処理メニューに従って処理するよう制御する制御手段とを有することを特徴とする。
【００１１】
上記目的を達成するため、請求項２記載の発明は、前記画像入力方式は、画像通信装置本体に着脱自在なハンドスキャナ単体により画像入力する画像入力方式を含むことを特徴とする。
【００１２】
上記目的を達成するため、請求項３記載の発明は、前記画像入力方式は、画像通信装置本体に着脱自在なハンドスキャナを画像通信装置本体に装着した状態で画像入力する画像入力方式を含むことを特徴とする。
【００１３】
上記目的を達成するため、請求項４記載の発明は、前記画像入力方式は、外部メモリカードに格納された画像データを入力する画像入力方式を含むことを特徴とする。
【００１４】
上記目的を達成するため、請求項５記載の発明は、前記入力方式選択手段で選択された前記画像入力方式に応じて、前記電子メール形式への変換方法を選択する変換方法選択手段を有することを特徴とする。
【００１５】
上記目的を達成するため、請求項６記載の発明は、前記入力方式選択手段で画像通信装置本体に着脱自在なハンドスキャナ単体により画像入力する画像入力方式が選択された場合、前記ハンドスキャナ単体で入力した画像データを画像通信装置本体へ取り込む画像取込手段と、取り込んだ画像データに応じてヘッダ情報を生成するヘッダ情報生成手段とを有することを特徴とする。
【００１６】
上記目的を達成するため、請求項７記載の発明は、前記入力方式選択手段で画像通信装置本体に着脱自在なハンドスキャナを画像通信装置本体に装着した状態で画像入力する画像入力方式が選択された場合、前記ハンドスキャナを画像通信装置本体に装着した状態で入力した画像データに応じてヘッダ情報を生成するヘッダ情報生成手段を有することを特徴とする。
【００１７】
上記目的を達成するため、請求項８記載の発明は、前記入力方式選択手段で外部メモリカードに格納された画像データを入力する画像入力方式が選択された場合、前記外部メモリカード内の画像データを選択する画像選択手段と、選択された画像データを読み込む画像読込手段と、読み込んだ画像データから電子メールデータを生成するメールデータ生成手段とを有することを特徴とする。
【００１８】
上記目的を達成するため、請求項９記載の発明は、前記外部メモリカードから読み込んだ画像データに応じてヘッダ情報を生成するヘッダ情報生成手段を有することを特徴とする。
【００１９】
上記目的を達成するため、請求項１０記載の発明は、前記ハンドスキャナが画像通信装置本体に装着された際に、前記ハンドスキャナ内に画像データが格納されているか否かを確認する確認手段と、前記ハンドスキャナ内に画像データが格納されている場合、前記表示手段に電子メール送信するか否かを選択可能な表示を行う表示制御手段とを有することを特徴とする。
【００３２】
上記目的を達成するため、請求項１１記載の発明は、複数の画像入力方式が使用可能で且つ電子メールが送信可能な画像通信装置に適用される画像通信方法であって、電子メール送信を指示する送信指示工程と、電子メール送信が指示された場合に前記複数の画像入力方式を表示する画像入力方式表示工程と、前記画像入力方式表示工程における表示に基づき前記複数の画像入力方式から送信対象画像の画像入力方式を選択する入力方式選択工程と、選択された画像入力方式による画像データを電子メール形式に変換する変換工程と、変換された画像データを電子メールに添付し通信媒体を介して送信する送信工程と、前記送信指示工程で電子メール送信の指示がなされていない状態で前記複数の画像入力方式の一つが選択された場合、当該選択された画像入力方式による画像データの処理を指定するためのメニューであって前記電子メール送信を含む複数の処理メニューを表示する処理メニュー表示工程と、選択された前記複数の画像入力方式の一つによる画像データを、前記処理メニュー表示工程における表示に基づき選択された処理メニューに従って処理するよう制御する制御工程とを有することを特徴とする。
【００４３】
上記目的を達成するため、請求項１２記載の発明は、複数の画像入力方式が使用可能で且つ電子メールが送信可能な画像通信装置に適用される画像通信方法を実行するプログラムを記憶したコンピュータにより読み出し可能な記憶媒体であって、前記画像通信方法は、電子メール送信を指示する送信指示ステップと、電子メール送信が指示された場合に前記複数の画像入力方式を表示する画像入力方式表示ステップと、前記画像入力方式表示ステップにおける表示に基づき前記複数の画像入力方式から送信対象画像の画像入力方式を選択する入力方式選択ステップと、選択された画像入力方式による画像データを電子メール形式に変換する変換ステップと、変換された画像データを電子メールに添付し通信媒体を介して送信する送信ステップと、前記送信指示ステップで電子メール送信の指示がなされていない状態で前記複数の画像入力方式の画像入力方式の一つが選択された場合、当該選択された画像入力方式による画像データの処理を指定するためのメニューであって前記電子メール送信を含む複数の処理メニューを表示する処理メニュー表示ステップと、選択された前記複数の画像入力方式の一つによる画像データを、前記処理メニュー表示ステップにおける表示に基づき選択された処理メニューに従って処理するよう制御する制御ステップとを有することを特徴とする。
【００４４】
上記目的を達成するため、請求項３５記載の発明は、前記画像入力方式は、前記画像通信装置に着脱自在なハンドスキャナ単体により画像入力する画像入力方式を含むことを特徴とする。
【００４５】
上記目的を達成するため、請求項３６記載の発明は、前記画像入力方式は、前記画像通信装置に着脱自在なハンドスキャナを前記画像通信装置に装着した状態で画像入力する画像入力方式を含むことを特徴とする。
【００４６】
上記目的を達成するため、請求項３７記載の発明は、前記画像入力方式は、外部メモリカードに格納された画像データを入力する画像入力方式を含むことを特徴とする。
【００４７】
上記目的を達成するため、請求項３８記載の発明は、前記入力方式選択ステップで選択された前記画像入力方式に応じて、前記電子メール形式への変換方法を選択する変換方法選択ステップを有することを特徴とする。
【００４８】
上記目的を達成するため、請求項３９記載の発明は、前記入力方式選択ステップで前記画像通信装置に着脱自在なハンドスキャナ単体により画像入力する画像入力方式が選択された場合、前記ハンドスキャナ単体で入力した画像データを前記画像通信装置へ取り込む画像取込ステップと、取り込んだ画像データに応じてヘッダ情報を生成するヘッダ情報生成ステップとを有することを特徴とする。
【００４９】
上記目的を達成するため、請求項４０記載の発明は、前記入力方式選択ステップで前記画像通信装置に着脱自在なハンドスキャナを前記画像通信装置に装着した状態で画像入力する画像入力方式が選択された場合、前記ハンドスキャナを前記画像通信装置に装着した状態で入力した画像データに応じてヘッダ情報を生成するヘッダ情報生成ステップを有することを特徴とする。
【００５０】
上記目的を達成するため、請求項４１記載の発明は、前記入力方式選択ステップで外部メモリカードに格納された画像データを入力する画像入力方式が選択された場合、前記外部メモリカード内の画像データを選択する画像選択ステップと、選択された画像データを読み込む画像読込ステップと、読み込んだ画像データから電子メールデータを生成するメールデータ生成ステップとを有することを特徴とする。
【００５１】
上記目的を達成するため、請求項４２記載の発明は、前記外部メモリカードから読み込んだ画像データに応じてヘッダ情報を生成するヘッダ情報生成ステップを有することを特徴とする。
【００５２】
上記目的を達成するため、請求項４３記載の発明は、前記ハンドスキャナが前記画像通信装置に装着された際に、前記ハンドスキャナ内に画像データが格納されているか否かを確認する確認ステップと、前記ハンドスキャナ内に画像データが格納されている場合、電子メール送信するか否かを選択可能な表示を行う表示制御ステップとを有することを特徴とする。
【００５３】
上記目的を達成するため、請求項４４記載の発明は、前記通信媒体は、ISDN（Integrated Services Digital Network）、PSTN（Public Switched Telephone Network）等の公衆回線、或いはBluetooth、IrDA（Infrared Data Association）、PHS（Personal Handy-phone System）等の無線通信媒体、或いはUSB（Universal Serial Bus）、IEEE（Institute of Electrical and Electronics Engineers）1394等の有線通信媒体であることを特徴とする。
【００５４】
【発明の実施の形態】
以下、本発明の実施の形態を図面に基づいて詳細に説明する。
【００５５】
［第１の実施の形態］
図１は本発明の第１の実施の形態に係る通信システムの概略構成例を示すブロック図である。本発明の第１の実施の形態に係る通信システムは、ファクシミリ装置101、ハンドスキャナ102、デジタルカメラ103、ISDN（Integrated Services Digital Network：総合デジタル通信網）などの通信ネットワーク104、通信相手のファクシミリ装置（FAX）105、インターネットサービスプロバイダ（ISP）106、通信相手のコンピュータ（PC）107を備えている。
【００５６】
上記通信システムの構成を詳述すると、ファクシミリ装置101、通信相手のファクシミリ装置105、通信相手のコンピュータ107は、通信ネットワーク104を介して相互に通信を行う。ファクシミリ装置101には、ハンドスキャナ102が着脱自在に装着可能であり、各種画像の読み取りに使用する。デジタルカメラ103には、該デジタルカメラ103で撮影した画像データを格納する記憶媒体が着脱自在に装着可能である。尚、ハンドスキャナ102とデジタルカメラ103との間は、例えばコンパクトフラッシュ（CF）カードやスマートメディアなどの記憶媒体を介して、画像データの受け渡しが行われることを想定している。インターネットサービスプロバイダ（ISP）106は、インターネットへの接続サービスを行う。
【００５７】
図２は本発明の第１の実施の形態に係る通信システムのファクシミリ装置101、ハンドスキャナ102の構成例を示すブロック図である。本発明の第１の実施の形態に係る通信システムのファクシミリ装置101は、CPU201、ROM203、SRAM204、CPU205、ROM207、RAM208、共有レジスタ209、共有レジスタ210、プリンタ画像処理部211、カラープリンタ212、オペレーションパネル213、FAXMODEM214、ハンドセット215、スピーカ216、クロスポイントスイッチ217、DSU219、ISDNIインタフェイス220、HDLCコントローラ221、PIAFSコントローラ222、CPU224及びTDMA処理部225を有するPHS処理部223、1.9GHz高周波部226、PCMCODEC227、PCMCODEC228、PCM/ADPCM変換部229、PCM/ADPCM変換部230、パス切替スイッチ231、パス切替スイッチ232を備えており、ハンドスキャナ102は、CPU241、RAM242、CIS243、A/D変換部244、シェーディング補正部245、色変換選択部246、RGB→LAB色空間変換部247、RGBY→CbCr色空間変換部248、γ変換部Ａ249、JPEG圧縮伸長部250、γ変換部Ｂ251、解像度変換部252、CFカードインタフェイス253、二値化処理部255を備えている。
【００５８】
上記ファクシミリ装置の構成を詳述すると、ファクシミリ装置101において、第一の制御部であるCPU201は、データ及びアドレスバスを含むシステムバス202を介してROM203に格納されたプログラムを読み込み、そのプログラムに従い、SRAM204をワークメモリに利用して、後述する制御を含む各種制御を実行する。また、第二の制御部であるCPU205は、データ及びアドレスバスを含むシステムバス206を介してROM207に格納されたプログラムを読み込み、そのプログラムに従い、RAM208をワークメモリに利用して、ミドルウェアによるデジタル画像データのJPEG圧縮・伸長処理を始めとする各種処理を実行する。
【００５９】
システムバス202によって相互に接続されるCPU201側のシステムと、システムバス206によって相互に接続されるCPU205側のシステムとは、両者の間に接続された共有レジスタ209を介してデータのやり取りを実行する。同様に、CPU205側のシステムとハンドスキャナ102とは、両者の間に接続された共有レジスタ210を介してデータのやり取りを実行する。
【００６０】
システムバス206に接続されたオペレーションパネル213には、LCDなどのディスプレイ、テンキー、各種キー、電子メールボタンが装備されており、ファクシミリ装置101をユーザが操作したり、ファクシミリ装置101の動作状態を表示したりするためのものである。
【００６１】
FAXMODEM214は、システムバス206を介してCPU205に制御されると共に、クロスポイントスイッチ217に接続されている。クロスポイントスイッチ217には、ハンドセット215及びスピーカ216も接続されている。従って、クロスポイントスイッチ217を経由して、通信回線から入力される音声やファクシミリのアナログデータをハンドセット215、スピーカ216及びFAXMODEM214へ供給し、ハンドセット215やFAXMODEM214から出力される音声やアナログデータを通信回線へ出力することができる。
【００６２】
ISDN回線（U点）218に接続されたDSU（Digital Service Unit）219は、局交換機との間でやり取りされるデータをTTLレベルの信号に変換する。ISDNインタフェイス220（特許請求の範囲の送信手段）は、ISDNのレイヤ1から3までの制御を行い、ISDNのBチャネルのデータの入出力機能を有している。HDLCコントローラ221は、ISDNのHDLC（Highlevel Data Link Control procedure）フォーマットのデータを組み立て、分解する処理を行う。PIAFS（PHS Internet Access Forum Standard）コントローラ222は、無線データ通信プロトコルフォーマットのフレームを組み立て、分解する処理を行う無線データ通信プロトコル処理部である。
【００６３】
PHS処理部223は、CPU224によってPHS（Personal Handy-phone System）無線通信のプロトコル処理を行い、TDMA（Time Division Multiple Access）処理部225によって4スロットの時分割多重化により送受信されるフレームを組み立て、分解する処理を行う。PHS処理部223に接続された1.9GHz高周波部226は、1.9GHz帯の電波の送受信を行う。尚、PHS処理部223を用いることで、内線にデジタルコードレス電話機を収容することが可能になる。
【００６４】
PCMCODEC227及び228は、アナログ信号とPCM（Pulse Code Modulation）符号データの変換を行う。PCM/ADPCM変換部229及び230は、PHSの無線回線で伝送されるADPCM（Adaptive Differential Pulse Code Modulation）符号データをPCM符号データに変換する。
【００６５】
パス切替スイッチ231及び232は、ISDN回線218で伝送するデータとして、ファクシミリ信号などのアナログ信号を選択するか、PHS処理部223を経由してデジタルコードレス電話機から送られてくる音声信号を選択するかを、CPU201の制御により切り替えるためのスイッチである。
【００６６】
次に、主要信号線について説明する。233は、CPU201とCPU205との間で制御信号をやり取りするためのシリアル通信線である。234から236は、ISDNインタフェイス220に入出力されるシリアル信号線である。ISDNインタフェイス220は、これらの信号線うちの二本を選択して、ISDN回線218のB1及びB2チャネルに接続する。237及び238は、FAXMODEM214及びハンドセット215に入出力するアナログ信号用の信号線である。239及び240は、デジタルコードレス電話機に入出力するADPCM符号化された音声データ用の信号線である。
【００６７】
上記ハンドスキャナの構成を詳述すると、ハンドスキャナ102において、ワンチップマイクロプロセッサなどであるCPU102は、内蔵ROMなどに格納されたプログラムを読み込み、そのプログラムに従い、データ及びアドレスバスを含むシステムバス254を介して、RAM242をワークメモリに利用して、後述する処理を含む各種処理を実行する。
【００６８】
画像を読み取るためのCIS（Contact Image Sensor）243は、赤（R）、緑（G）及び青（B）のLEDアレイ及びラインCCDを内蔵している。CIS243は、読取タイミング信号が入力されると、読取タイミング信号に同期して、読み取った画像のビデオ信号を出力する。A/D変換部244は、CIS243から出力されるビデオ信号をA/D（Analog to Digital）変換する。シェーディング補正部245は、A/D変換部244から出力されるRGB画像データに公知のシェーディング補正を施す。
【００６９】
色変換選択部246は、RGB画像データの入力元及び出力先をCPU241の制御により切り替える。入力元はシェーディング補正部245またはRAM242のどちらかから選択され、出力先はγ変換部Ａ249またはγ変換部Ｂ251またはRAM242のどれかから選択される。カラーファクシミリ通信を行う際は入力されるRGB画像データをγ変換部Ａ249へ出力し、その処理結果はRGB→LAB色空間変換部247へ出力される。この結果、RGB画像データはCIELab色空間の画像データに変換される。一方、カラー画像を電子メールに添付して送信する際は、入力されるRGB画像データをγ変換部Ｂ251へ出力し、その処理結果はRGB→YCbCr色空間変換部248へ出力される。この結果、RGB画像データはYCbCr色空間の画像データに変換される。
【００７０】
尚、γ変換部Ａ249とγ変換部Ｂ251では、同様のγ変換処理が行われるが、ＡとＢとではγの値が異なる。これは、印刷を目的とするカラーファクシミリと、ディスプレイへの表示を目的とする電子メールとでは、γ変換のパラメータが異なるためである。一般に、カラーファクシミリではγ=1.0、ディスプレイではγ=1.8または2.2程度である。
【００７１】
JPEG圧縮伸長部250は、入力されるLab或いはYCbCr色空間の画像データに対しDCT（Discrete Cosine Transform）変換を行った後、量子化・ハフマン符号化してJPEG（Joint Photographic Expert Group）画像データを出力し、また、入力されるJPEGデータを伸長してRGB無圧縮画像データを出力する。DCT変換及び量子化・ハフマン符号化のアルゴリズムについては、一般のJPEG圧縮処理で使われるものと同じである。
【００７２】
二値化処理部255は、RGB色空間の画像データを印刷用のCMYK二値データに変換するか、またはグレースケールの画像データを印刷用モノクロ二値データに変換する。CFカードインタフェイス253は、デジタルカメラなどにより撮影されCF（Compact Flash）カードなどに記録されたJPEG画像データを読み込むためのインタフェイスである。解像度変換部252は、RGB画像データの解像度変換の処理を行う。
【００７３】
RGB→YCbCr変換部248では、γ（=1.0）変換処理後の256階調RGBデータを256階調のYCbCrデータに変換する。各画素のR、G、Bの値に対して以下の処理を行うことで、各画素のY、Cb、Crの値を得る。
【００７４】
Y = 0.29900R + 0.58700G + 0.11400B - 0x80
Cb = -0.16874R - 0.33126G - 0.500000B
Cr = 0.50000R - 0.41869G - 0.08131B
また、RGB→Lab変換部247では、γ（=1.8or2.2）変換処理後の256階調RGBデータを256階調のLabデータに変換する。各画素のR、G、Bの値に対して以下の処理を行うことで各画素のL、a、bの値を得る。
【００７５】
0003768801.tif 000002
次に、本ファクシミリ装置の初期設定について説明する。本ファクシミリ装置では、ファクシミリ送信や電子メール送信を簡単な操作で行うことができるように、予め送信先や電子メール関連情報を設定する機能を持っている。ファクシミリ送信や電話の宛先は電話帳に登録することができる。登録手順は以下の通りである。
【００７６】
ユーザはオペレーションパネル213のテンキーから、数字、アルファベット、平仮名、片仮名、漢字、記号を用いて相手の名前を入力し、続いて電話番号を入力する。その他の付加情報があるときは、続いて各項目も入力する。各情報は一件分の電話番号データとなる。登録された電話番号データは、登録された名前を指定することにより選択され、通信時に使用される。尚、この情報は仮名文字や漢字を使用することが多いので、標準では仮名文字及び漢字を入力できるものとし、特定のキー操作によって英文字を入力できるように切り替える。
【００７７】
次に、電子メール関係では、以下の項目の設定を行う。電子メールを送信するためには、ISP（Internet Service Provider）へ接続するための情報、送信先を指定するための情報が必要である。
【００７８】
ISPへ接続するためには、ISPのアクセス電話番号、予めISPより与えられたログイン名とパスワード、ISPのプライマリネームサーバアドレス、セカンダリネームサーバアドレス、SMTPサーバ名が必要である。これらの情報は、オペレーションパネル213のテンキーから数字、アルファベット、平仮名、片仮名、漢字、記号を用いて入力される。その他の付加情報があるときは、続いて各項目も入力する。この情報は英数字のみの入力で十分であるので、これらを入力する時には自動的に英数字の入力モードとなる。
【００７９】
また、ISPへ接続するための情報を複数組持つために、これらのデータの集合にユーザ名を付けて管理する。ユーザ名は、オペレーションパネル213のテンキーから、数字、アルファベット、平仮名、片仮名、漢字、記号を用いて入力される。但し、仮名文字、漢字を入力モードを優先的に選択することは、先の電話宛先入力の際と同様である。各情報は一件分の接続データとなる。登録された接続データは、ユーザ名を指定することにより選択され、通信時に使用される。
【００８０】
また、宛先を指定するためには、相手先電子メールアドレスが必要である。宛先は、オペレーションパネル213のテンキーから、数字、アルファベット、平仮名、片仮名、漢字、記号を用いて、相手の名前と相手先電子メールアドレスを入力することで登録される。相手の名前を入力する時には仮名文字や漢字を入力するモードとなり、電子メールアドレスを入力する時には英数字を入力するモードに自動的に切り替わる。
【００８１】
その他の付加情報があるときは、続いて各項目も入力する。各情報は一件分の宛先データとなる。登録された宛先データは、登録された名前を指定することにより選択され、通信時に使用される。宛先データは、電話番号データと共に電話帳に登録されると同時に、電話帳と独立な宛先データのみを持つ電子メール帳にも登録される。
【００８２】
更に、必須ではないが、電子メールは件名を付属して送信することもできる。件名は、オペレーションパネル213のテンキーから、数字、アルファベット、平仮名、片仮名、漢字、記号を用いて入力される。
【００８３】
電子メールデータを登録可能である電話帳は、以下のように構成されている。電話番号リストと宛先リストをRAM208上に持つ。電子メールフラグと名前情報を持つ構造体から、電子メールフラグの値で、電話番号リストか宛先リストのいずれかにポインタを張る。構造体の集合は、名前情報でソートされた配列としてRAM208上に格納している。電話帳に電子メールの宛先が登録される場合、電子メールフラグと共に格納され、電話帳上でマークを付けて表示される。
【００８４】
尚、電話／ファクシミリ使用時は、電子メール宛先を電話帳から選択することはできず、電子メール使用時は、電話番号を電話帳から選択することはできないようにすることで、誤操作を防いでいる。
【００８５】
次に、電子メールボタンを押下した場合のオペレーションについて説明する。電子メールに添付して送信することのできる画像としては、
・ハンドスキャナで読み取った画像
・ハンドスキャナ102をファクシミリ装置101に装着してのシート読み画像
・外部メモリカードを使ってのデジタルカメラなどの画像
の３種類が考えられる。
【００８６】
そこで、電子メールボタンが押下されると、先ず、表示部には［スキャナ  ゲンコウ  カード］と表示する。オペレーションパネル213のキーを用いて選択することにより、それぞれの画像入力動作を開始する。
【００８７】
［スキャナ］が選択された場合には、ハンドスキャナ102に格納されている画像をファクシミリ装置101に転送する処理が行われる。処理の詳細については、下記の各種動作の説明項の「（１）ハンドスキャナ単体での読取の場合」で後述する。
【００８８】
［ゲンコウ］が選択された場合には、原稿の読取動作を開始する。処理の詳細については、下記の各種動作の説明項の「（２）シート読取動作の場合」で後述する。
【００８９】
［カード］が選択された場合には、ハンドスキャナ102内のCFカードインターフェイス部253を通して、メモリカードから画像データを転送する処理が行われる。処理の詳細については、下記の各種動作の説明項の「（３）外部から画像を入力する場合」で後述する。
【００９０】
尚、スキャナや外部メモリカードに格納された画像については、ハンドスキャナ102をファクシミリ装置101に装着した時にオペレーションパネルを操作することで、電子メール送信することも可能である。本処理については下記の各種動作の説明において詳述する。
【００９１】
尚、特許請求の範囲の変換手段、制御手段、変換方法選択手段、画像取込手段、ヘッダ情報生成手段、画像読込手段、メールデータ生成手段、確認手段、表示制御手段は、第一の制御部であるCPU201、第二の制御部であるCPU205の制御機能に相当し、送信指示手段、画像入力方式表示手段、処理メニュー表示手段、入力方式選択手段、画像選択手段は、オペレーションパネル213の操作部、表示部に相当する。
【００９２】
次に、上記の如く構成された本発明の第１の実施の形態に係る通信システムのファクシミリ装置における各種動作を図３〜図８のフローチャートに基づき詳細に説明する。
【００９３】
本ファクシミリ装置においては、読み取った画像の印刷（コピー）、FAX送信、電子メール送信を行うことができる。これらの動作は、オペレーションパネル213を使って行う。
【００９４】
画像入力手段としては、以下の３つの方法がある。
（１）ハンドスキャナ102単体での読み取り。
（２）ハンドスキャナ102をファクシミリ装置101に装着した状態でのシート読  み取り。
（３）外部メモリカードを使ってのデジタルカメラ103などからの画像入力。
以下、それぞれの場合について動作を説明する。
【００９５】
（１）ハンドスキャナ単体での読取の場合
ハンドスキャナ102をファクシミリ装置101から取り外して、先ず、ユーザは原稿読み取り前に、ハンドスキャナ102によりカラーで読み取るかモノクロで読み取るかを指示する（ステップS301）。ハンドスキャナ102のスタートキーを押すと（ステップS302）、画像の読み取りが開始される（ステップS303）。カラー読み取りが指示された場合は、ハンドスキャナ102によるカラー画像の読み取りが開始されると、CIS243からビデオ信号が出力され、出力されたビデオ信号はA/D変換され（ステップS304）、シェーディング補正される（ステップS305）。シェーディング補正された画像データは、RGB各色8ビットの無圧縮画像データとしてRAM242に格納される（ステップS306）。
【００９６】
モノクロ読み取りが指示された場合には、ハンドスキャナ102のCIS243により原稿をグレースケールで読み取り、A/D変換部244でA/D変換し（ステップS307）、シェーディング補正部245で公知のシェーディング補正を施して（ステップS308）得たグレースケール画像データに対し、二値化処理部255で二値化して（ステップS309）、CPU241でMH圧縮して（ステップS310）得られたMH画像データをRAM242に格納する（ステップS311）。この際、読み取った画像のライン数を画像データとは別に格納しておく（ステップS312）。
【００９７】
読取が終了してハンドスキャナ102がファクシミリ装置101に装着されると、ファクシミリ装置101のオペレーションパネル表示部に［コピー、FAX、Ｅメール］と表示される（ステップS401）。
【００９８】
［コピー］が選択された場合には、ハンドスキャナ102内の画像データの印刷処理を開始する。読み取り時にカラー読み取りを指定された場合、ハンドスキャナ102のRAM242に格納されたRGB無圧縮画像データは、解像度変換部252でプリンタ出力する解像度に変換（ステップS403）された後、二値化処理部255でRGB→CMYK変換（ステップS404）されて印刷データとなり、RAM242に一旦格納される。RAM242に格納された印刷データは、共有レジスタ210を経由して、カラープリンタ212に送られてカラー画像が印刷される（ステップS405）。
【００９９】
同じくモノクロMH画像データは、画像処理を施されることなく上記と同じルートでファクシミリ装置101（本体）に転送され、ファクシミリ装置101（本体）側のCPUがMHデータを伸張して（ステップS406）プリンタ212へ出力することで、モノクロ画像が印刷される（ステップS407）。
【０１００】
［FAX］が選択された場合には、ハンドスキャナ102内の画像データのFAX送信処理を開始する。ユーザは先ずFAX宛先を電話帳から選択する（ステップS410）。ユーザがカラーモードを指定してスキャンして得たカラー画像を送信する場合は、選択された電話番号宛てにISDN発信処理が行われる（ステップS411）。そして、ISDN回線218から応答があると、RAM242に格納されたRGB無圧縮画像データは、解像度変換部252で送信する解像度（200dpi）に変換された後（ステップS412）、色変換選択部246に入力され、そこからγ変換部Ａ249でのγ変換（ステップS413）、RGB→Lab変換部247でのRGB→Lab変換（ステップS414）を経由して、Lab画像データに変換され、JPEG圧縮部でLab-jpeg画像データに変換される（ステップS415）。
【０１０１】
本実施形態では、Lab画像データをJPEG圧縮して得られたJPEG画像データをLab-jpeg画像データと呼ぶこととし、同様に、YCbCr画像データをJPEG圧縮して得られたJPEG画像データをYCbCr-jpeg画像データと呼ぶこととする。得られたLab-jpeg画像データは、一旦、RAM242に格納される。
【０１０２】
ユーザがモノクロモードを指定してスキャンして得たモノクロMH画像を送信する場合は、上記のような画像変換を行わず、MHデータをそのままファクシミリ装置101（本体）へ転送する（ステップS416）。RAM242に格納されたLab-jpeg画像データまたはMH画像データは、共有レジスタ210を経由してFAXMODEM214に転送される。FAXMODEM214は、画像データに基づきアナログ信号を変調し（ステップS418）、変調されたアナログ信号はPCMCODEC237によりPCM符号に変換されて（ステップS419）、ISDN回線218へ送信される（ステップS420）。カラー画像を送信した場合は、通信相手のファクシミリ装置（図1のFAX105）がカラーファクシミリ機能を持っていれば、ISDN回線218を介して受信されるJPEGデータを伸長して画像を印刷することができる。
【０１０３】
［Ｅメール］が選択された場合には、ハンドスキャナ102内の画像データのＥメール送信処理を開始する。インターネットの電子メールには所定のヘッダ情報を付加することが規定されているため、送信するJPEGデータの前に所定のヘッダ情報である「To:」（宛先）、「From:」（差出人）、「Subject:」（件名）、「Cc:」（複写配布）及び「Date:」（日付）などの情報を追加する必要がある。
【０１０４】
そこで、先ず、オペレーションパネル213から、予め登録されている複数の送信元から一つを選択する（ステップS430）。この処理は、登録されている送信元が一つである場合は省略することが可能である。送信元は、ユーザ名、電子メールアドレス、ログイン名、パスワード、アクセス電話番号、プライマリネームサーバアドレス、セカンダリネームサーバアドレス、SMTPサーバ名からなり、既に説明した初期登録手順によって登録されるものである。
【０１０５】
次に、宛先を選択する（ステップS431）。宛先は、予め登録された電話帳もしくは電子メール帳から選択するか（ステップS27）、テンキーから数字、アルファベット、記号を入力して指定する。電子メール帳は、宛先だけを表示するものであり、電話帳と独立である。テンキーから入力された情報は、電話帳もしくは電子メール帳に登録することが可能である。 更に、件名を指定する（ステップS432）。件名は、予め登録された件名帳から選択するか、テンキーから数字、アルファベット、平仮名、片仮名、漢字、記号を入力して指定する。テンキーから入力された情報は、件名帳に登録することが可能である。
【０１０６】
読み取り時にカラー読み取りを指定した場合、カラーjpeg画像をe-mail添付ファイルとして送信する。ハンドスキャナ102のRAM242に格納されたRGB無圧縮画像データは、ファイルサイズが大きいため、圧縮処理を行いPCで使用されるYCbCr色空間のjpeg画像データに変換する必要がある。
【０１０７】
そこで、RAM242に格納されたRGB無圧縮画像データを解像度変換部252により送信解像度（例えば200dpi）に変換し（ステップS433）、色変換選択部246、γ変換部Ｂ251でのγ変換（ステップS434）、RGB→YCbCr変換部248でのRGB→YCbCr変換（ステップS435）を経由して、YCbCr色空間の画像データに変換した後、JPEG圧縮伸張部252によりYCbCr-jpegデータに圧縮し（ステップS436）、RAM242に一旦格納する。更に、YCbCr-jpegデータはファクシミリ装置101のRAM208に移され（ステップS437）、JPEGファイルとしてSRAM204に格納される。
【０１０８】
読み取り時にモノクロ読み取りを指定した場合、モノクロTIFF画像をe-mail添付ファイルとして送信する。ハンドスキャナ102のRAM242に格納されたMHデータは、ファクシミリ装置101のRAM208に移され（ステップS440）、SRAM204に格納される。
【０１０９】
ここで、MHデータをPCで扱うことができるTIFFファイルに変換する。MHデータにTIFFヘッダをつければTIFF形式画像データになるが、TIFFヘッダに格納する画像の縦ライン数のデータが別に必要になる。このため、ハンドスキャナ102のCPU241は、スキャン時に予めRAM242に格納しておいたその画像の縦ライン数のデータを、MHデータをファクシミリ装置101（本体）へ送った後に（ステップS441）、共有レジスタ210経由でファクシミリ装置101（本体）へ送る。ファクシミリ装置101（本体）は、その縦ライン数データなどを含めてTIFFヘッダを作成し（ステップS442）、上記MH画像データにそれを付加することでTIFFファイルを作成する（ステップS443）。
【０１１０】
TIFFヘッダに入れる添付画像ファイル名については、キーにより入力することは煩雑である。そこで、入力された件名を使ってファイル名を生成する。複数ページの原稿を添付して送信する場合には、ページ数をカウントして、件名の末尾にページ番号を付加した名称をつけるものとする。例えば、件名が「ゲンコウ」であれば、ファイル名は「ゲンコウ１」、「ゲンコウ２」・・・というように生成される。
【０１１１】
以上の処理により得られたJPEG／TIFFファイルに対し、base64やuuencodeなどの既知のテキスト化処理が行われ、電子メールヘッダを付加して電子メールデータが作成される（ステップS445）。
【０１１２】
電子メールデータが完成すると、指定したプロバイダ106宛てにISDN発信処理を行う。ISDN回線218から応答があると、通信パスが接続され、プロバイダとの通信回線が設定される。続いて、PAPに従ってプロバイダのサーバにログインし、SMTPプロトコルによりSRAM204に格納された電子メールデータが送信される。具体的には、電子メールデータは、SRAM204からHDLCコントローラ221に転送されてHDLCフレームに組み立てられた上、ISDNインタフェイス220を経由してプロバイダ宛に送信される（ステップS446）。
【０１１３】
電子メールの宛先のPC107がインターネット経由で電子メールデータを受信すると、そのユーザは、電子メールに添付されたJPEG／TIFFデータファイルを得ることができる。そして、PC107上で稼動するJPEG／TIFFデータの表示機能をもつソフトウェア、例えばブラウザなどにより受信した画像を見ることができる。
【０１１４】
電子メール送信後、宛先はリダイヤルバッファもしくは電子メール用リダイヤルバッファに保存される。リダイヤルバッファは、かけた電話／送信した電子メールを使用開始時刻でソートし、最新のものから順に何件かの電話番号／宛先を保存するもので、電子メール用リダイヤルバッファは、送信した電子メールを使用開始時刻でソートし、最新のものから上位何件かの宛先を保存するものである。
【０１１５】
尚、ＦＡＸや電子メールの送信方法としては、電話番号／電子メール宛先を選択してから送信することも可能である。これは、ファクシミリ装置101のオペレーションパネル213の電話帳キーを押すことで開始される。電話帳キーを押すと、電話帳に登録された電話番号／電子メール宛先が表示される。電子メール宛先は、末尾に「Ｅ」の文字が付加されていることで示される。電話番号を選択すると電話／ファクシミリ送信モードが自動的に選択され、電子メール宛先を選択すると電子メール送信モードが自動的に選択される。
【０１１６】
また、ハンドスキャナ102で読み取った画像のＥメール送信方法としては、既述の電子メールボタンを使用する方法も用いることができる。電子メールボタンを押下すると、［スキャナ  ゲンコウ  カード］と表示されるので、ここで［スキャナ］を選択すると、ハンドスキャナ102内の画像を送信することができる。
【０１１７】
（２）シート読取動作の場合
ハンドスキャナ102をファクシミリ装置101（本体）に装着した状態で、シートフィーダを用いてハンドスキャナ102から画像を読み取ってコピー、FAX送信、Ｅメール送信をする場合、ユーザは先ず原稿をシートフィーダにセットし（ステップS500）、コピー・FAX・Eメールいずれかの処理を選択する。選択はそれぞれに対応したボタンをユーザが押下することによって行われる（ステップS501）。
【０１１８】
この状態で、コピーボタンが押下されると、原稿がフィードされ、ハンドスキャナ102による画像の読み取りが開始される。ハンドスキャナ102のCIS243からビデオ信号が出力され、出力されたビデオ信号はA/D変換部244でA/D変換され、シェーディング補正部245でシェーディング補正される（ステップS502）。シェーディング補正された画像データは、γ変換部Ａ249でγ変換され（ステップS503）、解像度変換部252でプリンタ解像度に変換され（ステップS504）、二値化処理部255でプリント二値データに変換されて（ステップS505）、一旦RAM242に格納される。そこから共有レジスタ210を経由してプリント二値データがプリンタ212へ送られ、プリントアウトされる（ステップS506）。
【０１１９】
ファクシミリ装置101におけるダイヤル操作の後でFAX送信ボタンが押下された場合、または電話帳に登録された送信先を選択した上でFAX送信ボタンが押下された場合には、FAX送信処理を開始する。電話帳から宛先を選択されると（ステップS511）、選択された電話番号宛にISDN発信処理が行われる（ステップS512）。そして、ISDN回線218から応答があると、読取動作を開始する。
【０１２０】
ハンドスキャナ102のCIS243で原稿を読み取り、A/D変換部244でA/D変換し、シェーディング補正部245でA/D変換部244から出力されるRGB画像データに公知のシェーディング補正を施す（ステップS513）。続いて、γ変換部Ａ249でγ補正を施し（ステップS514）、RGB→LAB色空間変換部248でLab画像データに変換し（ステップS515）、JPEG圧縮/伸長部250で符号化（圧縮）して（ステップS516）、ハンドスキャナ102のRAM242にJPEGデータを出力する。
【０１２１】
このJPEGデータは、共有レジスタ210を経由してFAXMODEM214に転送される（ステップS517）。FAXMODEM214は、JPEGデータに基づきアナログ信号を変調し（ステップS518）、変調されたアナログ信号は、PCMCODEC237によりPCM符号に変換されて（ステップS519）、ISDN回線218へ送信される（ステップS520）。通信相手のファクシミリ装置（図1のFAX105）がカラーファクシミリ機能、つまりLab-jpeg伸長機能をもっていれば、ISDN回線218を介して受信されるJPEGデータを伸長して画像を印刷することができる。
【０１２２】
電子メールボタンが押下されてから［ゲンコウ］が選択された場合、または電話帳から電子メール送信先が選択された場合には、読み取って電子メール送信処理を開始する。電子メールデータの作成開始に先立ち、上記（１）の「ハンドスキャナで読み取った画像の送信」で説明したように、宛先や件名の指定を行う。これらの処理が終了すると、電子メールデータの作成が開始される（ステップS530）。
【０１２３】
カラー原稿をシートフィーダを用いてハンドスキャナ102から画像を読み取って送信する場合、ハンドスキャナ102のCIS243で原稿を読み取り、A/D変換部244でA/D（Analog to Digital）変換し、シェーディング補正部245でA/D変換部244から出力されるRGB画像データに公知のシェーディング補正を施し（ステップS531）、γ変換部Ｂ251でγ変換を施し（ステップS532）、RGB→YCbCr色空間変換部248でYCbCr画像データに変換し（ステップS533）、JPEG圧縮伸長部250で符号化（圧縮）（ステップS534）して、ハンドスキャナ102のRAM242にYCbCr-jpegデータを出力する。このデータは、ファクシミリ装置101のRAM208に転送され（ステップS535）、テキスト化され、電子メールヘッダが付加されて（ステップS536）、電子メールデータとなる。
【０１２４】
こうして電子メールデータの作成が終了すると、指定したプロバイダ106宛にISDN発信処理を行う（ステップS537）。以降の動作については、ハンドスキャナ102で読み取った場合と同様である。
【０１２５】
（３）外部から画像を入力する場合
ハンドスキャナ102は、CFカードを接続するCFカードインタフェイス部253を備えている。そこで、デジタルカメラ103などで撮影して得たJPEG形式の画像データをCFカードに格納しておけば、CFカードをハンドスキャナ102に装着することにより、撮影画像データをプリントしたり、FAX送信を行ったり、Ｅメール送信を行ったりすることができる。デジタルカメラ103でCFカードに書かれたJPEGファイルには、DCF（Design rule for Camera File system）規格に従ってファイル名がつけられており、各ファイルは数値3桁-数値4桁のファイルIDで表現することが可能である。
【０１２６】
ハンドスキャナ102がファクシミリ装置101に装着された時に、ハンドスキャナ102にCFカードが装着されていることを認識すると、ファクシミリ装置101のオペレーションパネル213の表示部に［コピー、FAX、Ｅメール］と表示される（ステップS601）。コピー、FAX、Ｅメールのうちどれかが選択されると、次に処理する画像のファイルIDをオペレーションパネル213で指定するか、予めカメラからDPOF（Digital Print Order Format）などで指定されたものを処理するかの選択を行う（ステップS602）。
【０１２７】
前者の場合はオペレーションパネル213から送信ファイルのIDを入力し（ステップS603）、後者の場合はCFカード内のDPOFファイルを解析して処理対象のファイルIDを得る（ステップS604）。その後、CFカードから該ファイルを読み込む（ステップS605）。尚、DPOFとは、記録メディア内の画像ファイルをどう扱うか（例えばプリントするか、特定相手にe-mail送信するか、など）をコマンドファイルとして記録メディア内に書いておき、そのCFカードを挿入された機器（FAXなど）が、そのコマンドファイルを認識して自動的にプリントしたりe-mail送信したりするための、コマンドファイル（DPOFファイル）の書式の規格である。
【０１２８】
オペレーションパネル213からファイルIDを指定する場合、カーソルキーを用いてファイル一覧から選択するか、テンキーで直接指定する。画像は複数選択可能であり、送信に用いるファイルIDの最初の値と最後の値を指定することで、範囲を指定する。
【０１２９】
上記ステップS601で［コピー］が選択された場合は、CFカードから読み出されたYCbCr-jpegデータは、JPEG圧縮伸長部250で伸長されて無圧縮RGB画像データとなり（ステップS607）、解像度変換部でプリント解像度へ変換され（ステップS608）、2値化処理部255でCMYK二値プリントデータに変換され（ステップS609）、得られた印刷データはRAM242に一旦格納される。RAM242に格納されたプリントデータは、共有レジスタ210を経由して、カラープリンタ212に送られて画像が印刷される（ステップS610）。
【０１３０】
［FAX送信］が選択された場合は、CFカードから読み出されたJPEGデータは、JPEG圧縮伸長部250で一旦伸長されて無圧縮RGBデータとなり（ステップS620）、解像度変換部252で送信解像度（200dpi）に変換されて（ステップS621）、一旦RAM242に格納される。次に、そのRGB無圧縮データを色変換選択部246へ入力して、γ変換部Ａ251でのγ変換（ステップS622）、RGB→Lab変換部247でのRGB→Lab変換（ステップS633）を経由して、Lab-jpegデータへと変換され、再度RAM242に格納される。
【０１３１】
次に、電話帳で宛先が選択されると、選択された電話番号宛にISDN発信処理が行われる。そして、ISDN回線218から応答があると、RAM242に格納されたLab-jpegデータは、共有レジスタ210を経由してFAXMODEM214に転送される（ステップS625）。FAXMODEM214は、JPEGデータに基づきアナログ信号を変調し（ステップS626）、変調されたアナログ信号はPCMCODEC237によりPCM符号に変換されて（ステップS627）、ISDN回線218へ送信される（ステップS628）。
【０１３２】
［Ｅメール送信］が選択された場合は、CFカードから読み出されたJPEGデータは、PCでそのままファイルとして見ることができるため、画像処理は行わずそのまま添付ファイルとしてe-mail送信する。但し、デジタルカメラ撮影時の画素数設定が多い場合は、撮影して得たjpeg画像データのファイルサイズが大きくなり過ぎてしまい、RAM242やRAM208に格納しきれなかったり、或いはテキスト化処理や送信処理に時間がかかり過ぎたりしてしまうため、本実施形態においては、送信するファイルのファイルサイズが大きい場合はe-mail添付送信を行わないことし、オペレーションパネル213にその旨を示すメッセージを表示する。
【０１３３】
データの転送に先立ち、ファクシミリ装置101の第二の制御部であるCPU205は、ユーザが送信ファイルを指定した後、ハンドスキャナ102のCPU241から該当ファイルのファイルサイズを入手する（ステップS630）。入手したファイルサイズの値がｘバイトを上回る場合は、オペレーションパネル213に警告を表示し送信を中止する（ステップS632）。ここで、上記ｘバイトの「ｘ」の値は一定値であってもよいし、RAM208の残容量により可変的に設定してもよい。ｘバイトを下回る場合は、指定JPEGファイルをRAM242へ読み出す（ステップS633）。
【０１３４】
次に、電子メールの宛先の電子メールアドレスが電話帳で選択されると、電子メールに添付するデータを作成するために、RAM242に格納されたJPEGデータは、共有レジスタ210及び209を経由してSRAM204に転送される。そして、上述したステップS323と同様の処理によって電子メールデータが作成され送信される（ステップS634）。
【０１３５】
電子メールデータの送信処理の詳細については、既に説明した場合と同様である。尚、デジタルカメラ103で撮影した画像の場合には、画像に名称が付けられている。このような場合には、CFカードから画像名称を受け取り、その画像名称を添付画像のファイル名にそのまま利用する。画像に名称がつけられていない場合には、ハンドスキャナ102で読み取った画像の場合と同じように、件名をそのままファイル名として使用する。
【０１３６】
また、外部メモリカードに格納された画像のＥメール送信方法としては、既述の電子メールボタンを使用する方法も用いることができる。電子メールボタンを押下すると、［スキャナ  ゲンコウ  カード］と表示されるので、ここで［カード］を選択すると、ハンドスキャナ102内の画像を送信することができる。
【０１３７】
以上説明したように、本発明の第１の実施の形態によれば、電子メールボタンにより電子メール送信が指示された場合、ファクシミリ装置101に着脱自在なハンドスキャナ102単体により画像入力する画像入力方式、ハンドスキャナ102をファクシミリ装置101に装着した状態で画像入力する画像入力方式、CFカードに格納された画像データを入力する画像入力方式をオペレーションパネル213に表示し、選択された画像入力方式による画像データを電子メール形式に変換し、変換された画像データを電子メールに添付し通信ネットワーク104を介して送信するため、多様な画像入力方式を使って、多様な画像を電子メールに添付して送信することができるという効果を奏する。
【０１３８】
［第２の実施の形態］
本発明の第２の実施の形態に係る通信システムは、ファクシミリ装置101、ハンドスキャナ102、デジタルカメラ103、ISDN（Integrated Services Digital Network：総合デジタル通信網）などの通信ネットワーク104、通信相手のファクシミリ装置（FAX）105、インターネットサービスプロバイダ（ISP）106、通信相手のコンピュータ（PC）107を備えている（上記図１参照）。
【０１３９】
また、本発明の第２の実施の形態に係る通信システムのファクシミリ装置101は、CPU201、ROM203、SRAM204、CPU205、ROM207、RAM208、共有レジスタ209、共有レジスタ210、プリンタ画像処理部211、カラープリンタ212、オペレーションパネル213、FAXMODEM214、ハンドセット215、スピーカ216、クロスポイントスイッチ217、DSU219、ISDNIインタフェイス220、HDLCコントローラ221、PIAFSコントローラ222、CPU224及びTDMA処理部225を有するPHS処理部223、1.9GHz高周波部226、PCMCODEC227、PCMCODEC228、PCM/ADPCM変換部229、PCM/ADPCM変換部230、パス切替スイッチ231、パス切替スイッチ232を備えており、ハンドスキャナ102は、CPU241、RAM242、CIS243、A/D変換部244、シェーディング補正部245、色変換選択部246、RGB→LAB色空間変換部247、RGBY→CbCr色空間変換部248、γ変換部Ａ249、JPEG圧縮伸長部250、γ変換部Ｂ251、解像度変換部252、CFカードインタフェイス253、二値化処理部255を備えている（上記図２参照）。
【０１４０】
尚、本発明の第２の実施の形態において、上記第１の実施の形態と略同様の構成については、同一符号を付してその詳細説明を省略する。
【０１４１】
上記第１の実施の形態においては、カラー読み取りモードを指定してハンドスキャナ102でハンドスキャンを行う場合は、シェーディング補正処理後のRGB無圧縮データをハンドスキャナ102のRAM242に格納していた。しかし、A4原稿を例えば200dpiで読み込む場合、このようにRGB無圧縮データとしてハンドスキャナ102のRAM242に格納しようとすると、データサイズが約12MBと大きくなり、これを格納できる容量のRAMを装備すると装置のコストアップを招いてしまう。
【０１４２】
従って、読み取り時に何らかの圧縮方法でRGBデータを圧縮してからハンドスキャナ102のRAM242に格納することが望ましいが、例えばYCbCr-jpegデータとして格納することとすると、カラーFAX送信時には、そのデータを一旦伸張して無圧縮RGBデータにしてから再度Lab-jpegデータに圧縮する必要があるため、JPEG伸張と圧縮を繰り返すことによる画像データの劣化が避けられない。一方、Lab-jpegデータとして格納することにしても、e-mail送信時にはYCbCr-jpegデータに変換する必要があるため同様の画像劣化が生じる。
【０１４３】
そこで、本発明の第２の実施の形態では、ユーザがハンドスキャナ102によるハンドスキャン時に、ファクシミリ装置101のCPU201が、ハンドスキャナ102のRAM242内に画像データが格納されているか否かを確認し、ハンドスキャナ102のRAM242内に画像データが格納されている場合は、ユーザが指定する画像幅によって処理の分岐を行う制御を実行する。画像幅は、写真幅／A4幅／B4幅の幅指定が可能であり、各指定により処理内容を以下のように制限する。
（１） 写真幅のとき：モノクロはスキャン時にMH圧縮を行い、カラーは無圧縮でスキャンする。
（２） A4幅のとき：モノクロはスキャン時にMH圧縮を行い、カラーはスキャンした画像をYCbCr-jpeg圧縮してRAM242に書き込む。但し、このJPEGデータは、送信対象とはせず、ファクシミリ装置101（本体）に装着してプリントアウトのみを行うことができる。
（３） B4幅のとき：モノクロはスキャン時にMH圧縮を行い、カラースキャンは行わない。
【０１４４】
上記（１）で写真幅のカラースキャンを行った場合の動作を説明する。スキャン時の処理は、画像幅が写真サイズであることを除いて上記第１の実施の形態と同様である。読み取りが終了してハンドスキャナ102がファクシミリ装置101に装着されると、ファクシミリ装置101のオペレーションパネル213の表示部に［コピー、FAX、Eメール］と表示されユーザの選択を促す。
【０１４５】
［コピー］が選択された場合には、ハンドスキャナ102内の画像データの印刷処理を開始する。この場合の処理内容は上記第１の実施の形態と同じである。
【０１４６】
［FAX］が選択された場合には、ハンドスキャナ102内の画像データのカラーFAX送信処理を開始する。但し、カラーFAXでは勧告で画像幅がA4と決められているため、写真幅の画像の幅を補う必要がある。スキャンして得たRGB無圧縮画像の左右に白画素（（R,G,B）=（255,255,255））を付加して、A4幅（200dpiで1728画素）になるようにしてから、Lab-jpeg圧縮処理を行い、得られたJPEGデータを上記第１の実施の形態と同様にして送信する。
【０１４７】
［Eメール］が選択された場合は、白画素を付加する必要がないため、写真幅のままのRGB無圧縮画像をYCbCr-jpeg圧縮して、得られたJPEGデータを上記第１の実施の形態と同様にして添付ファイルとして送信する。
【０１４８】
次に、上記（２）でA4幅のカラースキャンを行った場合の動作を説明する。スキャン時は上記第１の実施の形態と異なり、シェーディング補正をして得られたRGB画像データを、γ変換部B249、RGB→YCbCr変換部251を経由させてYCbCr無圧縮画像データとし、更に、JPEG圧縮伸張部250で圧縮してYCbCr-jpegデータとしてからRAM242へ格納する。
【０１４９】
この状態でハンドスキャナ102がファクシミリ装置101（本体）に装着されると、ファクシミリ装置101（本体）のオペレーションパネル213の表示部には、上記第１の実施の形態と同様に［コピー］［FAX］［Eメール］と表示されるが、FAXとEメールについては、ユーザが選択しても警告表示をして送信処理は行わない。コピーを選択した場合は、RAM242に入っているYCbCr-jpegデータを、JPEG圧縮伸張部250で伸張して一旦RGB無圧縮画像データとし、更に、解像度変換部252でプリント解像度に変換し、二値化処理部255でCMYK二値データに変換して、そのデータをファクシミリ装置101（本体）のプリンタへ送ってプリントする。
【０１５０】
［第１及び第２の実施の形態の変形例］
上記第１及び第２の実施の形態においては、画像の送信は公衆回線を経由したファクシミリ通信及び電子メールを想定していたが、Bluetooth、IrDA（Infrared Data Association）及びPHS（Personal Handy-phone System）などの無線通信媒体によって、或いはUSB（Universal Serial Bus）及びIEEE（Institute of Electrical and Electronics Engineers）1394のような有線通信媒体によって、構内や近隣のコンピュータなどに画像を送信することも考えられる。
【０１５１】
図９は本発明の上記第１及び第２の実施の形態の変形例に係る通信システムの概略構成例を示すブロック図である。本発明の上記第１及び第２の実施の形態の変形例に係る通信システムは、ファクシミリ装置101、ハンドスキャナ102、デジタルカメラ103、ISDNなどの通信ネットワーク104、通信相手のファクシミリ装置（FAX）105、インターネットサービスプロバイダ（ISP）106、通信相手のコンピュータ（PC）107、ファクシミリ装置101と同じ構内にあるコンピュータ（PC）108、109を備えている。
【０１５２】
上記通信システムの要部の構成を詳述すると、コンピュータ（PC）108は、Bluetooth、IrDAまたはPHSなどを利用した無線通信回線110を介してファクシミリ装置101と通信を行う。コンピュータ（PC）109は、USB（Universal Serial Bus）またはIEEE1394などを利用した有線通信回線111を介して、ファクシミリ装置101と通信を行う。これ以外の構成は上記第１及び第２の実施の形態と同様である。尚、本通信システムの通信に使用される画像データは、電子メールを利用した画像通信を行う場合と同様に、YCbCr色空間の画像データをJPEG圧縮したものである。
【０１５３】
本変形例が、上記第１及び第２の実施の形態で説明した電子メールを利用した画像の送信と異なる点は、送信が指示された際に、ISDN回線に対して発信する代わりに、通信に利用する通信媒体の通信プロトコルに従って通信リンクを確立することである。そして、確立された通信回線上でJPEGデータを伝送することにより、JPEG伸長機能を有するコンピュータ108やコンピュータ109などにおいて画像を見ることが可能になる。
【０１５４】
［他の実施の形態］
上記第１及び第２の実施の形態においては、処理モードの選択は、例えばメッセージ「印刷？FAX送信？Eメール送信？」に従って選択する例を説明した。つまり、処理モードだけでなく画像の送信モードも選択していることになる。そこで、オペレーションパネル213に「FAXキー」「電子メールボタン」のような専用のキーを設けてもよい。
【０１５５】
一方、画像を送信する場合には、選択された短縮番号がファクシミリ装置101の電話番号に対応するか、電子メールアドレスに対応するかを判断することで、送信モードを自動判別することができる。このような判別を行えば、メッセージは「印刷？送信？」でよい。更に、短縮番号（電話帳）に登録されているものが、ファクシミリ装置101の電話番号である場合は、その名称の横に「F」を表示し、登録されているのが電子メールアドレスである場合は、その名称の横に「E」を表示することで、ファクシミリ装置101のユーザの識別を容易にすることができる。
【０１５６】
また、上記第１及び第２の実施の形態においては、公衆回線としてISDNを想定し、ファクシミリ送信の場合は、MODEMにより変調されたアナログ信号をPCM符号化し、電子メール送信の場合は、HDLCフレームに組み立てたデータをそのままISDNに送信していた。しかし、公衆回線はアナログ回線（PSTN：Public Switched Telephone Network）でもよく、アナログ回線を使用してファクシミリ送信する場合は、MODEMにより変調されたアナログ信号をそのまま送信する。また、電子メールを送信する場合は、MODEMにより電子メールデータに基づき変調したアナログ信号を送信する。
【０１５７】
また、上記第１及び第２の実施の形態においては、色空間変換部をハンドスキャナ102に収容したが、色空間変換部はファクシミリ装置101に収容してもよい。また、色空間変換処理及びJPEG圧縮/伸長処理は、ハードウェアで処理しても、ソフトウェアで処理しても同様の効果が得られる。
【０１５８】
また、上記第１及び第２の実施の形態においては、ハンドスキャナ102をファクシミリ装置101から取り外して画像を読み取ることを想定した。しかし、ハンドスキャナ102がファクシミリ装置101に装着されているか否か、また、ファクシミリ装置101に脱着自在であるか否かにかかわらず、同様の効果が得られる。また、符号化の方式としては、上述のDCTを用いるJPEG圧縮方式に限らず、例えばウェーブレット変換を用いたカラー圧縮方式等、他の符号化方式であってもよく、またDCT変換を行う前の画像データの色空間も、Lab、YCbCrに限らず、他の色空間を用いてもよい。
【０１５９】
また、上記第１及び第２の実施の形態においては、添付ファイルの名称については件名をそのまま使用したが、添付ファイルの名称については件名をそのまま使用しないで、任意の文字列を使用することも可能である。
【０１６０】
また、上記第１及び第２の実施の形態、変形例においては、通信システムとして上記図１、図９に示す構成を例に上げたが、ファクシミリ装置、ハンドスキャナ、デジタルカメラ、コンピュータ等の設置台数は任意台数とすることができる。
【０１６１】
尚、本発明は、複数の機器（例えばホストコンピュータ、インタフェイス機器、リーダ、プリンタなど）から構成されるシステムに適用しても、１つの機器からなる装置（例えばホストコンピュータ、インタフェイス機器、リーダ、プリンタなど）に適用してもよい。上述した実施形態の機能を実現するソフトウェアのプログラムコードを記憶した記憶媒体（または記録媒体）等の媒体をシステム或いは装置に供給し、そのシステム或いは装置のコンピュータ（またはＣＰＵやＭＰＵ）が記憶媒体（または記録媒体）等の媒体に格納されたプログラムコードを読み出し実行することによっても、達成されることは言うまでもない。
【０１６２】
この場合、記憶媒体（または記録媒体）等の媒体から読み出されたプログラムコード自体が上述した実施形態の機能を実現することになり、そのプログラムコードを記憶した記憶媒体（または記録媒体）等の媒体は本発明を構成することになる。プログラムコードを供給するための記憶媒体（または記録媒体）等の媒体としては、例えば、フロッピーディスク、ハードディスク、光ディスク、光磁気ディスク、ＣＤ−ＲＯＭ、ＣＤ−Ｒ、磁気テープ、不揮発性のメモリカード、ＲＯＭ、或いはネットワークを介したダウンロードなどを用いることができる。
【０１６３】
また、コンピュータが読み出したプログラムコードを実行することにより、上述した実施形態の機能が実現されるだけでなく、そのプログラムコードの指示に基づき、コンピュータ上で稼動しているオペレーティングシステム（ＯＳ）などが実際の処理の一部または全部を行い、その処理によって上述した実施形態の機能が実現される場合も含まれることは言うまでもない。
【０１６４】
更に、記憶媒体（または記録媒体）等の媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって上述した実施形態の機能が実現される場合も含まれることは言うまでもない。
【０１６５】
本発明を上記記憶媒体に適用する場合、その記憶媒体には、先に説明したフローチャートに対応するプログラムコードが格納されることになる。
【０１６６】
図１１は本発明の画像通信方法を実行するプログラム及び関連データが記憶媒体からコンピュータ等の装置に供給される概念例を示す説明図である。本発明の画像通信方法を実行するプログラム及び関連データは、フロッピーディスクやＣＤ−ＲＯＭ等の記憶媒体1101をコンピュータ等の装置1102に装備された記憶媒体ドライブの挿入口1103に挿入することで供給される。その後、本発明の画像通信方法を実行するプログラム及び関連データを、記憶媒体1101から一旦ハードディスクにインストールしハードディスクからＲＡＭにロードするか、或いはハードディスクにインストールせずに直接ＲＡＭにロードすることで、当該プログラム及び関連データを実行することが可能となる。
【０１６７】
この場合、本発明の第１及び第２の実施の形態、変形例に係るファクシミリ装置において、本発明の画像通信方法を実行するプログラムを実行させる場合は、例えば上記図１１を参照して説明したようなコンピュータ等の装置を介してファクシミリ装置に当該プログラム及び関連データを供給するか、或いはファクシミリ装置に予め当該プログラム及び関連データを格納しておくことで、プログラム実行が可能となる。
【０１６８】
図１０は本発明の画像通信方法を実行するプログラム及び関連データを記憶した記憶媒体の記憶内容の構成例を示す説明図である。記憶媒体は、例えばボリューム情報1001、ディレクトリ情報1002、プログラム実行ファイル1003、プログラム関連データファイル1004等の記憶内容で構成される。本発明の画像通信方法を実行するプログラムは、上述した各フローチャートに基づきプログラムコード化されたものである。
【０１６９】
【発明の効果】
以上説明したように、本発明によれば、複数の画像入力方式が使用可能で且つ電子メールが送信可能な画像通信装置において、電子メール送信が指定された場合には複数の画像入力方式を表示し、その中から選択された画像入力方式による画像データを電子メールの形式に変換して送信するので、電子メールの送信に際して所望の入力方式の画像データを選択的に送信でき、一方、電子メール送信が指示されていない状態で画像入力方式の一つが選択された場合には、この画像データの処理を指定するための処理メニューを表示し、その中から選択された処理メニューに従って処理するので、複数の画像入力方式の一つによって入力された画像データを所望の方法で処理させることが可能となる。
【図面の簡単な説明】
【図１】本発明の第１の実施の形態に係る通信システムの構成例を示すブロック図である。
【図２】本発明の第１の実施の形態に係るファクシミリ装置及びハンドスキャナの構成例を示すブロック図である。
【図３】本発明の第１の実施の形態に係るハンドスキャナで読み取りを行う際の処理を示すフローチャートである。
【図４】本発明の第１の実施の形態に係るハンドスキャナ装着時処理を示すフローチャートである。
【図５】本発明の第１の実施の形態に係るハンドスキャナ装着時処理を示すフローチャートである。
【図６】本発明の第１の実施の形態に係るシート読み取り動作時処理を示すフローチャートである。
【図７】本発明の第１の実施の形態に係る外部記録メディア（CFカード）から画像データを得る場合の処理を示すフローチャートである。
【図８】本発明の第１の実施の形態に係る外部記録メディア（CFカード）から画像データを得る場合の処理を示すフローチャートである。
【図９】本発明の第１及び第２の実施の形態の変形例に係る通信システムの構成例を示すブロック図である。
【図１０】本発明の画像通信方法を実行するプログラム及び関連データを記憶した記憶媒体の記憶内容の構成例を示す説明図である。
【図１１】本発明の画像通信方法を実行するプログラム及び関連データが記憶媒体からコンピュータ等の装置に供給される概念例を示す説明図である。
【符号の説明】
101ファクシミリ装置
102ハンドスキャナ
103デジタルカメラ
104通信ネットワーク
105通信相手のファクシミリ装置
106インターネットサービスプロバイダ
107通信相手のコンピュータ
108、109同じ構内にあるコンピュータ
110  無線通信回線
111有線通信回線
201、205、241  CPU
213  オペレーションパネル
220  ISDNインタフェイス
243  CIS
253  CFカードインタフェイス
【図１】
0003768801.tif 000003
【図２】
0003768801.tif 000004
【図３】
0003768801.tif 000005
【図４】
0003768801.tif 000006
【図５】
0003768801.tif 000007
【図６】
0003768801.tif 000008
【図７】
0003768801.tif 000009
【図８】
0003768801.tif 000010
【図９】
0003768801.tif 000011
【図１０】
0003768801.tif 000012
【図１１】
0003768801.tif 000013